(57)【要約】【課題】  製造容易でタッチパネルの操作性に優れる手袋を提供する。【解決手段】  人差指部５１、中指部５２、薬指部５３および小指部５４からなる４本の指部を備え、隣接する前記指部間の互いに対向する位置にそれぞれマチ部を有する手袋であって、指部の外側に配置されたマチ部の少なくともいずれかを、導電性マチ部３１，３３，３５として、指部の内側に配置されたマチ部を、いずれも非導電性マチ部とする。導電性マチ部は、少なくとも人差指部５１に配置されていることが好ましい。【選択図】  図３
2018048424.tif 000002
【特許請求の範囲】
【請求項１】
人差指部、中指部、薬指部および小指部からなる４本の指部を備え、隣接する前記指部間の互いに対向する位置にそれぞれマチ部を有する手袋であって、
前記指部の外側に配置された前記マチ部の少なくともいずれかを、導電性マチ部として、
前記指部の内側に配置された前記マチ部を、いずれも非導電性マチ部とした手袋。
【請求項２】
前記導電性マチ部は、少なくとも前記人差指部に配置されている請求項１に記載の手袋。
【請求項３】
前記導電性マチ部は、前記人差指部、前記中指部および前記薬指部にそれぞれ配置されている請求項１に記載の手袋。
【請求項４】
親指部を更に備え、前記親指部の掌側を導電性材料により形成した請求項１から３のいずれかに記載の手袋。
【発明の詳細な説明】
【技術分野】
【０００１】
本発明は、手袋に関し、より詳しくは、使用者が装着したまま携帯機器等のタッチパネルを操作することができる手袋に関する。
【背景技術】
【０００２】
この種の手袋として、例えば特許文献１には、非導電性素材からなる内袋と、導電性素材からなる襠部を有する外袋とを有する手袋が開示されている。この手袋は、親指、人差指、中指、薬指および小指の間で襠部が繋がっている。
【先行技術文献】
【特許文献】
【０００３】
【特許文献１】特許第５３２８０６２号公報
【発明の概要】
【発明が解決しようとする課題】
【０００４】
上記従来の手袋は、５本指の全体にわたる特殊な襠部を用いて形成されているため、製造が困難になり易いだけでなく、タッチ操作に使用しない部分も含めて導電性素材が必要になるため、製造コストが高くなるという問題があった。
【０００５】
また、タッチパネルの操作を指先で行う場合、襠部の広い範囲がタッチパネルに接触するため、使用者が意図しない誤操作が生じ易いという問題もあった。
【０００６】
そこで、本発明は、製造容易でタッチパネルの操作性に優れる手袋の提供を目的とする。
【課題を解決するための手段】
【０００７】
本発明の前記目的は、人差指部、中指部、薬指部および小指部からなる４本の指部を備え、隣接する前記指部間の互いに対向する位置にそれぞれマチ部を有する手袋であって、前記指部の外側に配置された前記マチ部の少なくともいずれかを、導電性マチ部として、前記指部の内側に配置された前記マチ部を、いずれも非導電性マチ部とした手袋により達成される。
【０００８】
この手袋において、前記導電性マチ部は、少なくとも前記人差指部に配置されていることが好ましい。あるいは、前記導電性マチ部は、前記人差指部、前記中指部および前記薬指部にそれぞれ配置されていることが好ましい。
【発明の効果】
【０００９】
本発明によれば、製造容易でタッチパネルの操作性に優れる手袋を提供することができる。
【図面の簡単な説明】
【００１０】
【図１】本発明の一実施形態に係る手袋の分解平面図である。
【図２】本発明の一実施形態に係る手袋の指先を示す要部正面図である。
【図３】本発明の一実施形態に係る手袋の斜視図である。
【図４】本発明の他の実施形態に係る手袋の要部平面図である。
【発明を実施するための形態】
【００１１】
以下、本発明の実施の形態について、添付図面を参照して説明する。図１は、本発明の一実施形態に係る手袋の分解平面図である。本実施形態の手袋６０は右手用であり、図１に示すように、使用者の手の甲側および掌側となる甲部１および掌部２を備えている。
【００１２】
甲部１は、人差指、中指、薬指および小指に対応する位置に、それぞれ人差指甲側部１１、中指甲側部１２、薬指甲側部１３および小指甲側部１４が形成されている。また、掌部２は、人差指、中指、薬指および小指に対応する位置に、それぞれ人差指掌側部２１、中指掌側部２２、薬指掌側部２３および小指掌側部２４が形成されている。
【００１３】
掌部２の親指に対応する位置には指孔４が形成されており、この指孔４の周縁に親指部３が装着される。甲部１、掌部２および親指部３を形成する生地は、特に限定されるものではなく、例えば、天然皮革、合成皮革、布地、樹脂シート、ゴムシート等を挙げることができる。
【００１４】
人差指甲側部１１、中指甲側部１２、薬指甲側部１３および小指甲側部１４は、それぞれ人差指掌側部２１、中指掌側部２２、薬指掌側部２３および小指掌側部２４と重なり合うように配置されており、図２に正面図で示すように、これらが６個のマチ部３１〜３６と共に、人差指部５１、中指部５２、薬指部５３および小指部５４からなる４本の指部を構成する。
【００１５】
より詳細には、人差指部５１の外側（小指側）にマチ部３１が設けられ、中指部５２の外内両側にマチ部３２，３３が設けられ、薬指部５３の外内両側にマチ部３４，３５が設けられ、小指部５４の内側（親指側）にマチ部３６が設けられている。このように、隣接する指部５１〜５４間の互いに対向する位置に、それぞれマチ部３１〜３６が配置されている。マチ部３１〜３６は先細に形成されており、図２に示すように、先端部が正面視において露出している。
【００１６】
手袋６０の上記構成は公知のものであり、縫製あるいは接着剤等を用いた無縫製による公知の製造方法により、容易に製造することができる。
【００１７】
本実施形態の手袋６０は、６個のマチ部３１〜３６のうち、人差指部５１、中指部５２および薬指部５３の外側のマチ部を、導電性材料からなる導電性マチ部３１，３３，３５とし、これら導電性マチ部３１，３３，３５に対向する中指部５２、薬指部５３および小指部５４の内側のマチ部を、非導電性材料からなる非導電性マチ部３２，３４，３６とした点に特徴がある。導電性材料は、特に限定されるものではないが、例えば、導電性繊維、導電性樹脂シート、導電性塗料等を挙げることができる。本実施形態においては、非導電性マチ部３２，３４，３６を、甲部１および掌部２と同様に天然皮革により形成し、導電性マチ部３１，３３，３５を、表面に導電性塗料が塗布された天然皮革により形成している。
【００１８】
本実施形態の手袋６０は、例えば図３に示すように、人差指部５１を立てて、この人差指部５１の導電性マチ部３１を、スマートフォン等の携帯機器のタッチパネルに接触させることにより、人差指部５１の外側を利用して携帯機器を操作することができる。また、中指部５２および薬指部５３の外側にもそれぞれ導電性マチ部３３，３５が配置されているため、例えば、薬指部５３で画面をスクロールしながら、人差指部５１および中指部５２でアイコンを操作する等、良好な操作性を得ることができる。
【００１９】
一方、中指部５２、薬指部５３および小指５４の内側は、タッチパネル操作に使用し難いため、この部分のマチ部は非導電性マチ部３２，３４，３６とすることで、導電性材料の使用に伴う製造コストの上昇を抑制することができる。
【００２０】
人差指部５１、中指部５２および薬指部５３の指先部は、図２に示すように、先細に形成された導電性マチ部３１，３３，３５の先端部が僅かに露出した状態になるため、この指先部でタッチパネル操作を行う場合に、タッチパネルに対して導電性マチ部３１，３３，３５を局所的に接触させることができる。したがって、マチ部全体が導電性を有するためにタッチパネルとの接触面積が過大になる上記従来の手袋と比較して、タッチパネルを正確に操作することができる。
【００２１】
以上、本発明の一実施形態について詳述したが、本発明の具体的な態様は上記実施形態に限定されない。例えば、本実施形態においては、人差指部５１、中指部５２および薬指部５３の外側にそれぞれ配置されたマチ部を、導電性マチ部３１，３３，３５としているが、必ずしもこれらのマチ部の全てを導電性マチ部とする必要はなく、この中のいずれかのみを導電性マチ部として、他は非導電性マチ部にすることも可能である。この場合、タッチパネルの操作性を良好にする観点から、少なくとも人差指部５１のマチ部を導電性マチ部にすることが好ましい。
【００２２】
また、本実施形態の手袋６０は、親指部３を非導電性としているが、図４に示すように、親指部３を親指甲側部１５と親指掌側部２５とに分割し、親指部３の掌側に配置される親指掌側部２５のみを、上記の導電性マチ部３１，３３，３５と同様に、導電性材料により形成してもよい。
【符号の説明】
【００２３】
３１，３３，３５  導電性マチ部
３２，３４，３６  非導電性マチ部
５１  人差指部
５２  中指部
５３  薬指部
５４  小指部
６０  手袋
【図１】
2018048424.tif 000003
【図２】
2018048424.tif 000004
【図３】
2018048424.tif 000005
【図４】
2018048424.tif 000006